(57)【要約】【解決手段】本発明は、金属容器を製造するための拡張用ダイ(5)を提供するもので、徐々に拡張する部分(15)及びランド部(20)を含む作用面(10)と、作用面(10)のランド部(20)に続くアンダーカット部(25)とを有している。本発明は、成形された容器(Ａ−Ｎ、１−３)を製造するプロセスを提供するもので、第１の直径を有する容器ストックを準備すること、少なくとも１つの拡張用ダイを用いて、容器ストックの少なくとも一部を第２の直径に拡大すること、容器蓋を受け入れることができるように容器ストックの端部を形成することを含んでいる。【選択図】図２Ａ
2009541066.tif 000002
【特許請求の範囲】
【請求項１】
成形された容器を製造するプロセスであって、
第１の直径を有する容器ストックを準備すること、
少なくとも１つの拡張用ダイを用いて、容器ストックの少なくとも一部を第２の直径に拡大すること、
容器蓋を受け入れることができるように容器ストックの端部を形成すること、を含んでいるプロセス。
【請求項２】
容器の一部を第２の直径に拡大した後、容器蓋を受け入れることができるように容器ストックの端部を形成する前に、容器ストックを第３の直径にネッキングすることをさらに含んでいる請求項１のプロセス。
【請求項３】
少なくとも１つのネッキングダイで容器ストックをネッキングすることをさらに含んでいる請求項２のプロセス。
【請求項４】
第３の直径は第２の直径よりも小さく、第３の直径は第１の直径よりも大きいか若しくは小さいか又は第１の直径と同じである請求項３のプロセス。
【請求項５】
容器の拡張された部分と容器ストックのネッキングされた部分との間の移行部が最小となるように、容器ストックがネッキングダイ及び拡張用ダイの中へ移動する移動距離を調節することをさらに含んでいる請求項３のプロセス。
【請求項６】
容器の拡張された部分と容器のネッキングされた部分との間が略一様な直径となる長い移行部が形成されるように、容器ストックがネッキングダイ及び拡張用ダイの中へ移動する移動距離を調節することをさらに含んでいる請求項３のプロセス。
【請求項７】
１以上の他の拡張ステップと１以上の他のネッキングステップをさらに有している請求項２のプロセス。
【請求項８】
ノックアウトを有しない１以上のネッキングダイを用いて、容器ストックを、第１の直径よりも大きな第３の直径にネッキングすることをさらに含んでいる請求項２のプロセス。
【請求項９】
容器蓋を受け入れることができるように容器ストックの端部を形成することは、フランジ、カール、ネジ、ラグを形成すること、アウトサート及びヘムを取り付けること又はそれらの組合せを行なうことを含んでいる請求項１のプロセス。
【請求項１０】
容器ストックは、第１の容器直径から約２５％の拡張まで徐々に拡大される請求項１のプロセス。
【請求項１１】
金属容器を製造するための拡張用ダイであって、
徐々に拡張する部分及びランド部を有する作用面と、
作用面のランド部に続いて形成されたアンダーカット部と、を具える拡張用ダイ。
【請求項１２】
作用面の初期部は、容器の元の直径部から拡大された直径部へ移行する移行部を形成する形状を有している請求項１１のダイ。
【請求項１３】
移行部は、段階状に又は徐々に変化する請求項１１のダイ。
【請求項１４】
ランド部の寸法は、作用面により容器ストックの直径を拡大させることができる寸法である請求項１１のダイ。
【請求項１５】
作用面の少なくとも一部は非ポリッシュである請求項１１のダイ。
【請求項１６】
作用面の非ポリッシュ部は、仕上げ表面が８μインチ〜で３２μインチである請求項１５のダイ。
【請求項１７】
アンダーカット部は非ポリッシュである請求項１５のダイ。
【請求項１８】
容器ストックの直径を拡大して、元の容器ストックの直径から容器ストックの拡大された部分に移行する移行部の外形を画定できるように構成された作用面を有する第１の拡張用ダイと、
少なくとも１つの徐々に拡張する拡張用ダイと、を含んでおり、
少なくとも１つの徐々に拡張する拡張用ダイにおける一連の各拡張用ダイは、容器ストックの直径を拡張する程度が、第１の拡張用ダイと等しいか又は第１の拡張用ダイよりも小さいか若しくは大きくなるように構成された作用面を有している、ダイシステム。
【請求項１９】
少なくとも１つの徐々に拡張する拡張用ダイのうちの最後のダイは、容器ストックの拡張された部分の最終直径を画定する作用面を有している請求項１８のダイシステム。
【請求項２０】
少なくとも１つのネッキングダイをさらに具えている請求項１８のダイシステム。
【発明の詳細な説明】
【技術分野】
【０００１】
この発明は、飲料容器を成形する拡張用ダイに関する。
【背景技術】
【０００２】
ソフトドリンク又はビール用の飲料缶は種々あるが、一般的には、絞りとしごき加工(drawn and iron)技術によって形成され(ＤＩ缶)、缶胴(又は側壁部)及び缶底は、アルミニウム合金シート又は表面処理されたスチールシート等の金属シートを絞りとしごき加工することによって一体に形成される。
【０００３】
産業界において、これらの飲料缶は略同一形状となるように、相対的経済的に大量に製造される。容器は略同一の形状に製造されるので、それらの外観からは、互いの識別又は区別を的確に行うことができない。飲料缶は相対的経済的に大量生産されるので、飲料メーカーの間では、製品を区別するのに有用な固有の形状を有する経済的な飲料容器に対する強い要望がある。
【０００４】
飲料メーカーの要望を満足させるために、これまでにも、多くの容器製造者が、容器製造技術に改良を加えた、容器本体の再成形プロセスを数多く提案している。直径が拡大された容器本体を作る再成形プロセスの一例として、モールディング技術に組み合わせて、容器本体の内部に拡張媒体(expansion medium)を配備する方法がある。拡張媒体は、容器の所望形状に対応する形状のモールド表面に抗して、容器本体をその内部から径方向に拡大させるものである。拡張媒体として、圧縮空気又は窒素、非圧縮性液体があり、又は径方向に作動するフィンガーによって供給されることもできる。
【０００５】
モールディング技術による容器本体の再成形(reshaping)又は拡張(expansion)には幾つもの不利な点がある。具体的に述べると、容器本体のモールディングは、製造時間の増加を招くので、飲料容器の製造に関連する費用が増加する。モールディングは、インラインプロセスの中に組み込むことが容易ではないので、絞りとしごき加工を用いる容器本体形成工程では、インラインプロセスから分離して行わなければならない。
【０００６】
さらなる不利な点は、モールディングを行なうときの拡張の程度は実質的に制限されることである。特に、絞りとしごき加工は過酷な金属加工を受けるので、適当な延性を保持することができず、所望効果をもたらす特徴的な外形を得ようとすると、缶つまり金属の破壊を生ずる。一実施例において、アルミニウムの容器本体は肉厚が約０.００４０”のオーダであり、１回のモールディングステップでは、径方向に拡大できるのは、容器本体の元の直径の最大１０％にすぎない。
【０００７】
上記に鑑み、拡張された直径部を有する飲料容器の製造において、インラインプロセスに容易に組み込むことができ、より経済的な方法が要請されている。
【発明の概要】
【０００８】
包括的には、本発明は、側壁に拡大された直径部を少なくとも有し、拡大された直径部を少なくとも１つの拡張用ダイ(expansion die)によって成形する容器の製造方法に関するものである。
【０００９】
本発明の方法は、
第１の直径を有する容器ストック(container stock)を準備するステップ、
少なくとも１つの拡張用ダイを用いて、容器ストックの少なくとも一部を第２の直径に拡張するステップ、
容器蓋を受け入れることができるように容器ストックの端部を形成するステップ、を含んでいる。
【００１０】
拡張用ダイは、容器ストックの開口端へ挿入可能であり、拡張用ダイの作用面は、拡張用ダイの中心線から離れる方向に徐々に(progressively)延びている。拡張用ダイが容器ストックの開口端に挿入されていくにつれて、拡張用ダイの作用面により、容器ストックの側壁は径方向に変形して、拡張された直径部が形成される。
【００１１】
本発明の方法は、一実施例において、拡張するステップの後、容器蓋を受け入れることができるように容器ストックの端部を形成するステップの前に、少なくとも１つのネッキングダイを用いて、容器ストックを第３の直径にネッキングするステップをさらに含むことができる。
【００１２】
本発明の方法は、一実施例において、容器ストックがネッキングダイ及び／又は拡張用ダイの中へ移動する距離を調節するステップをさらに含むことができ、容器の拡大された部分と容器のネッキングされた部分との間の移行部が最小となるか、又は容器の拡大された部分と容器のネッキングされた部分との間で直径が略一様な長い移行部が形成されるようにする。
【００１３】
本発明の他の態様では、径方向に拡大された直径を有する金属容器を製造する拡張用ダイを提供するものである。拡張用ダイは、徐々に拡張する部分及びランド部を有する作用面を含み、作用面のランド部に続いてアンダーカット部がある。作用面の初期部は、容器本体の側壁において、元の直径部から拡大された直径部への移行部を形成する形状である。
【００１４】
本発明の他の態様では、径方向に拡大された直径部を少なくとも１つ有する形状に成形された容器を作成する上記拡張用ダイを含むダイシステムを提供するものである。
【００１５】
前記ダイシステムは、
容器ストックの直径を拡大して、元の容器ストックの直径から容器ストックの拡大された部分に移行する移行部の外形を画定できるように構成された作用面を有する第１の拡張用ダイと、
容器ストックの直径を徐々に拡大する少なくとも１つの拡張用ダイと、を含んでおり、
少なくとも１つの徐々に拡大する拡張用ダイにおける一連の各拡張用ダイは、容器ストックの直径を拡大させる程度が、第１の拡張用ダイと等しいか又は第１の拡張用ダイよりも小さいか若しくは大きくなるように構成された作用面を有している。
【図面の簡単な説明】
【００１６】
以下の詳細な説明は、例示であって、発明を限定するものでなく、添付の図面を参照することによって最も良く理解されるであろう。なお、同様な要素及び部品については、同じ引用符号を付している。
【００１７】
【図１Ａ】図１Ａは、本発明に係る拡張用ダイの一実施例の側部断面図である。
【図１Ｂ】図１Ｂは、本発明に係る拡張用ダイの他の実施例の側部断面図である。
【図１Ｃ】図１Ｃは、本発明に係る拡張用ダイの他の実施例の側部断面図である。
【図１Ｄ】図１Ｄは、図１Ａ、１Ｂ及び１Ｃに示されるアンダーカットの拡大断面図である。
【００１８】
【図２Ａ】図２Ａは、内径２.０６９"の飲料缶(飲料容器)で、本発明に係る方法を用いて、２１１飲料缶の直径よりも大きな直径に拡大された部分を少なくとも有する飲料缶の幾つかの実施例を図示したものである。
【図２Ｂ】図２Ｂは、内径２.０６９"の飲料缶(飲料容器)で、本発明に係る方法を用いて、２１１飲料缶の直径よりも大きな直径に拡大された部分を少なくとも有する飲料缶の幾つかの実施例を図示したものである。
【図２Ｃ】図２Ｃは、内径２.０６９"の飲料缶(飲料容器)で、本発明に係る方法を用いて、２１１飲料缶の直径よりも大きな直径に拡大された部分を少なくとも有する飲料缶の幾つかの実施例を図示したものである。
【００１９】
【図３】図３は、２１１飲料缶(飲料容器)で、本発明に係る方法を用いて、内径が２.０６９"から２.８６０"よりも大きな内径に拡大された部分を少なくとも有するする飲料缶の幾つかの実施例を図示したものである。
【００２０】
【図４】図４は、本発明に用いられたネッキングダイの側部断面図である。
【発明を実施するための形態】
【００２１】
＜好ましい実施例の詳細な説明＞
図１Ａ〜１Ｄは、拡張用ダイ(5)を示しており、これは、少なくとも１つの拡張された部分を有する飲料容器の成形に用いられ、ここで、飲料容器の直径は径方向に拡大される。成形された飲料容器の形状は、好ましくは、飲料缶の形態や、飲料ボトルの形態であるが、その他の形状も本発明の範囲内である。飲料容器は、好ましくは金属から形成され、より好ましくは、アルミニウム協会(Aluminum Association (AA))の３１０４等のアルミニウム合金から形成される。
【００２２】
本発明の拡張用ダイ(5)は、徐々に拡張する部分(15)及びランド部(20)を含む作用面(10)と、作用面(10)のランド部(20)から続くアンダーカット部(25)と、を有している。作用面(10)の初期部(30)は、容器の側壁を、元の直径部から拡大された直径部に移行する移行部を形成できる形状を有している。
【００２３】
拡張用ダイ(5)の一実施例を図１Ａに示しており、作用面(10)の初期部(30)の角度は、容器の元の直径部と容器側壁の拡張された部分との間に、容器の直径が径方向に大きくなる移行部が滑らかに形成されるように設定される。滑らかな移行部を有する飲料容器の例は、図２Ａの、Ａ、Ｂ、Ｃ、Ｄ及びＥに示されており、内径２.０６９"の飲料缶(飲料容器)で、内径２.６０３"の２１１飲料缶の直径よりも大きな直径に拡大された部分を少なくとも有する飲料缶の幾つかの例が示されている。この明細書において、「滑らかな移行部(smooth transition)」という語は、直径が徐々に増加することを意味する。好ましい一実施例において、滑らかな移行部を形成する作用面(10)を有する拡張用ダイ(5)は、ピルスナーグラスと同様な形状を有する容器を作るのに用いられる。
【００２４】
拡張用ダイ(5)の他の実施例を図１Ｂ及び１Ｃに示しており、作用面(10)の初期部(30)の曲率は、容器の元の直径部と容器の拡張された部分との間で、容器の直径が径方向に大きくなる移行部がより鋭く又は段階的に形成されるように設定される。一実施例において、作用面(10)の初期部(30)の曲率は、単一半径Ｒ１によって規定される。他の実施例において、作用面(10)の初期部(30)の曲率は、側壁に鋭い移行部又は段階状移行部を有する所望の拡張部が作成されるように、２つの対向半径Ｒ２、Ｒ３によって規定されることもできる。鋭い移行部又は段階状移行部を有する飲料容器の例は、図２ＢのＧ、Ｈ、Ｉ及びＪ、並びに図２ＣのＬ、Ｍ及びＮに示されており、内径２.０６９"の飲料缶(飲料容器)で、内径２.６０３"の２１１飲料缶の直径よりも大きな直径に拡大された部分を少なくとも有する飲料缶の幾つかの例が示されている。この明細書において、「鋭い移行部(pronounced transition)又は段階状移行部(stepped transition)」という語は、直径がより急激に増加することを意味し、容器の側壁にリップル効果を及ぼすことも含まれる。
【００２５】
拡張用ダイ(5)の作用面(10)は、徐々に拡張する部分(15)をさらに含んでおり、初期部(30)を含むこともできる。徐々に拡張する部分(15)は、缶ストックの開口端に挿入されたとき、缶ストックが作用面(10)に沿って進むにつれて缶ストックの直径を径方向に徐々に拡大させるように缶ストックの側壁に作用する寸法及び形状を有している。拡張の程度は、容器の拡張された部分で所望される最終直径に依存する他、拡張された部分を形成するのに用いられる拡張用ダイの数に依存し、また、缶ストックの材料及び肉厚に依存する。一実施例において、作用面(10)は、ノックアウト等の構造部材がなくても、適当な拡張及び成形作業を行うことができる。
【００２６】
拡張用ダイ(5)の作用面(10)には、徐々に拡張する部分(15)の後にランド部(20)がある。ランド部(20)は、拡張用ダイ(15)によって形成される容器の拡径部の最終直径を定める寸法及び形状を有している。一実施例において、ランド部(20)は、ネッキング方向に沿って、０.５"よりも小さく、好ましくは約０.１２５"のオーダの距離Ｌ１だけ拡張するものでよい。なお、ランド部(20)の寸法は例示としてのみ記載したものであり、発明を限定するものではなく、他の寸法を採用することも開示の範囲内であることは理解されるべきである。
【００２７】
作用面(10)は、ポリッシュ面又は非ポリッシュ面のどちらでもよい。一実施例において、ポリッシュされた表面の仕上げは、平均表面粗さ(Ｒａ)２μインチ〜６μインチである。一実施例において、非ポリッシュの表面(10)は、容器ストックの内面に沿って設けられる製品側部コーティングを有意に損なうものでない限り、表面の平均表面粗さ(Ｒａ)は、８μインチ以上で３２μインチ以下であってよい。
【００２８】
ランド部(20)に続いてアンダーカット部(25)がある。アンダーカット部(25)は、容器ストックが、作用面(10)の徐々に拡張する部分(15)及びランド部(20)によって加工されたとき、容器ストックと拡張用ダイ(5)との摩擦接触を低減できる形状である。図１Ｄは、本発明に係るアンダーカット部(25)の一実施例の端部を拡大して示す図である。摩擦接触の低下により、破壊発生が最少になり、拡張プロセス中における容器ストックのストリッピングが改善される。好ましい実施例において、アンダーカット部(25)は、非ポリッシュの表面であり、その平均表面粗さ(Ｒａ)が８μインチ以上で３２μ以下である。アンダーカット部(25)は、０.００５インチ以上の距離Ｌ２だけ拡張用ダイの壁の中に入り込んでいる。なお、アンダーカット部(25)の寸法と表面粗さは例示としてのみ記載したものであり、発明を限定するものでないことは理解されるべきである。
【００２９】
成形された飲料容器を作製する本発明のダイシステムの他の態様では、前述の拡張用ダイ(5)を含むダイシステムを提供するものである。ダイシステムは、少なくとも第１の拡張用ダイ(5)を含み、第１の拡張用ダイは、容器ストックの直径を拡大し、元の容器ストックの直径から容器ストックの拡大された部分まで移行する移行部の形状を決定するように構成された作用面(10)を有しており、ダイシステムは、少なくとも１つの徐々に拡張する拡張用ダイを含み、徐々に拡張する一連の拡張用ダイにおける各拡張用ダイは、容器ストックの直径を拡張する程度が、第１の拡張用ダイの程度と等しいか又は第１の拡張用ダイよりも小さいか若しくは大きくなるように構成された作用面を有している。一実施例において、ダイシステムはまた、１又は複数のネッキングダイを含んでいる。ネッキングダイの一例は図４に示されている。
【００３０】
本発明の他の態様は、飲料容器を作製する方法を提供するものである。本発明の方法は、上記の拡張用ダイ(5)を利用し、第１の直径を有する容器ストックを準備するステップ、少なくとも１つの拡張用ダイを用いて、容器ストックの少なくとも一部を第１直径よりも大きな第２の直径に拡大するステップ、容器蓋を受け入れることができるように容器ストックの端部を形成するステップ、を含んでいる。
【００３１】
本明細書において、「容器ストックを準備する」という語は、アルミニウムのブランク(例えば、ディスク又はスラグ)を準備し、該ブランクをアルミニウム容器ストックに成形する(shaping)ことを意味する。前述の如く、少なくとも１つの拡張用ダイ(5)は容器ストックの開口端に挿入される。拡張用ダイ(5)の数は、拡張の程度、容器ストックの材料及び容器ストックの側壁の肉厚に依存する。一実施例では、容器ストックの内径を約２.０６９"から、２１１飲料缶の直径よりも大きな直径に拡大するのに、図２Ａ〜２Ｃに示されるように５個の拡張用ダイ(5)が用いられる。他の実施例において、２１１缶の内径を約２.６０３"から約２.８６０"まで拡大するのに、図３に示されるように３個の拡張用ダイが用いられる。本発明の拡張用ダイ(5)を用いて徐々に拡径すると、容器の直径は２５％のオーダで徐々に拡大される。なお、拡張中に金属が破損しない限り、より大きな拡径も可能である。
【００３２】
飲料容器の形成方法の一実施例において、容器の前記部分を第２の直径に拡大した後、容器蓋を受け入れることができるように容器ストックの端部を形成する前に、容器ストックを第３の直径にネッキングすることをさらに含むことができる。図２Ｃに示されるＬとＭの例は、容器ストックの拡大された部分のネッキングを示している。好ましくは、ネッキングステップによって形成される第３の直径は、第２の直径よりも小さく、また、第３のダイは、第１の直径よりも大きくても、小さくても又は等しくてもよい。一実施例において、ネッキング工程は、図４に示されるように、少なくとも１つのネッキングダイ(40)によって行われることができる。一実施例において、ネッキング工程は、ボトル形状を有する飲料缶又は飲料容器を形成するために、容器の拡径部をネッキングするものである。
【００３３】
本発明に基づいて、容器ストックの元の直径よりも大きな直径に拡張された容器の拡径部をネッキングすると、容器の側壁は、拡張された後が引張状態であるため、従来のネッキング方法とは異なり、ノックアウトを必要としない。本発明の幾つかの実施例では、容器ストックの拡張された部分を第３の直径にネッキングするとき、ノックアウトが用いられる。拡張された部分を容器ストックの元の直径に等しいか又は元の直径より小さくなるようにネッキングするとき、一般的にはノックアウトを必要とする。ネッキング後の直径を容器ストックの元の直径よりも小さくするネッキングステップでは、ノックアウト構造を用いることが好ましい。
【００３４】
本発明の幾つかの実施例において、飲料容器を形成する方法は、容器の拡張された部分とその次に拡張された部分との間の移行部又は容器の拡張された部分と容器のネッキングされた部分との間の移行部が最小となるように、容器ストックがネッキングダイ及び／又は拡張用ダイの中へ移動する距離(travel dimension)を調節することをさらに含んでいる。前記の移動距離は、容器ストックが拡張用ダイ(5)又はネッキングダイ(40)の作用面(10)に沿って移動する距離として規定される。移行部が最小となるように移動距離を調節した効果の一例が図２Ｃの例Ｌに示されている。他の実施例において、容器の拡張された部分と容器のネッキングされた部分との間が略一様な直径となる長い移行部が形成されるように、移動距離を調節することができる。略一様な直径の長い移行部を有するように形成された容器の例は、図２ＢのＨ、Ｉ及びＪの例、並びに図２ＣのＭ及びＮの例に示されている。
【００３５】
本発明の方法は、複数の拡張用ダイ(5)とネッキングダイ(40)の組合せを用いて成形することをさらに含むことができる。容器の側壁に拡張された部分とネッキングされた部分を交互に形成するために、これらのダイは、続けて用いられることができる。
【００３６】
最終の拡張／ネッキングステップの後、容器蓋を受け入れることができるように容器ストックの開口端部が形成される。容器蓋を容器ストックの開口端部に取り付けるステップは、公知のプロセス又は方法によって行なうことができ、これには、フランジ、カール、ネジ、ラグ(lug)の形成、アウトサート(outsert)及びヘムの取付又はそれらの組合せを挙げることができる。
【００３７】
本発明は、拡張用ダイ(5)と飲料容器の側壁に拡張された部分を形成する方法を提供するもので、飲料容器の製造において飲料容器の成形に関わるコストを低減できる利点がある。
【００３８】
上記の説明は、飲料用、エアロゾル用、食物用容器の他に、拡張及び／又はネッキングされることができるあらゆる容器に適している。また、上記の説明は、絞りとしごき、延伸(drawn)、衝撃押出成形／拡張方法に対しても等しく適用可能である。
【００３９】
本発明について上記の如く広く説明したが、本発明のさらなる例示として以下の実施例を挙げて、得られる幾つかの利点を説明する。なお、本発明は、開示した具体的実施例に限定されるものではない。
【実施例１】
【００４０】
＜内径２.０６９"の拡大＞
５つのダイによる拡張システムを用いて、アルミニウム協会(ＡＡ)３１０４の厚さ０.００８８インチの側壁を有する容器ストックの一部の直径を、元の内径２.０６９"から２.６１５"のオーダの最終内径に拡大する。拡大は、容器ストックの直径の約２４％の増加であり、リューダー線(Lueder's lines)や金属引裂の発生はなかった。第１の拡張用ダイで約９％の拡大があり、第２及び第３の拡張用ダイで夫々約４.５％の拡大があり、第４及び第５の拡張用ダイで夫々約３.０％の拡大があった。
【実施例２】
【００４１】
＜内径２.６０３"の拡大＞
３つのダイによる拡張システムを用いて、アルミニウム協会(ＡＡ)３１０４の厚さ０.００５６インチの側壁を有する２１１缶の容器ストックの一部の直径を、元の内径２.６０３"から２.８６０"のオーダの最終内径に拡大する。３つの拡張用ダイの各ダイによる拡張度は、拡張ステップ１回につき３％の拡大であった。
【００４２】
本発明の好ましい実施例を説明したが、発明は、添付の特許請求の範囲内で実施可能であることは理解されるべきである。
【図１Ａ】
2009541066.tif 000003
【図１Ｂ】
2009541066.tif 000004
【図１Ｃ】
2009541066.tif 000005
【図１Ｄ】
2009541066.tif 000006
【図２Ａ】
2009541066.tif 000007
【図２Ｂ】
2009541066.tif 000008
【図２Ｃ】
2009541066.tif 000009
【図３】
2009541066.tif 000010
【図４】
2009541066.tif 000011
【国際調査報告】
2009541066.tif 000012
2009541066.tif 000013
2009541066.tif 000014
2009541066.tif 000015